(57)【特許請求の範囲】
【請求項１】
左右１対の支柱の上端部と下部とを上部横杆と下部横杆とで結合してフレームを形成し、かつ、前記フレームの前面または後面の少なくともいずれか一方に、パネルの内面の左右両側部を取り付けることにより構成される間仕切パネルの上面に、この上面を覆う上部カバーを取り付けるための取付構造であって、
前記支柱の上端面を開口させ、支柱の側面上端部に係止孔を穿設し、上部カバーの左右の端面を開口させ、この開口に、間仕切パネルの側端部上面を覆うためのエンドカバーに設けられた内向きの嵌合部を嵌合することにより、前記上部カバーの両端部にエンドカバーを連結し、かつ、前記エンドカバーの下面に下向きに突設された係合片を前記支柱の上端開口部に挿入するとともに、前記係合片に設けられた外向きの係合爪を、前記係止孔に係合させたことを特徴とする間仕切パネルにおける上部カバーの取付構造。
【請求項２】
エンドカバーの下面に前後２個の係合片を設けるとともに、支柱の前面と後面とに前記係止孔を穿設し、かつ、前記上部カバーの左右両端面の開口部の下縁部に、前記係合片が挿入する２個のスリットを設けたことを特徴とする請求項１記載の間仕切パネルにおける上部カバーの取付構造。
【発明の詳細な説明】
【０００１】
【発明の属する技術分野】
本発明は、間仕切パネルの上部カバーの取付構造に関する。
【０００２】
【従来の技術】
間仕切パネルにおいては、外観を向上させるために、間仕切パネルの上面部を、上部カバーにより覆うのが一般的である。
【０００３】
上部カバーの間仕切パネル上面への取付構造の従来技術の一例としては、前後両面にパネルが取り付けられた金属製のフレームの上面に、取付金具を止めねじ等に固着し、この取付金具に、上部カバーの下面に形成された係合部を係合するものがある。
【０００４】
【発明が解決しようとする課題】
しかし、上記の取付構造では、フレームに取付金具を取り付ける必要があるため、部品点数が増加するとともに、上部カバーの取付作業に手間がかかる。
【０００５】
本発明は、上述のような問題点を解決するためになされたもので、間仕切パネルの上面に上部カバーを、少ない部品点数により、簡単かつ確実に取り付けうるようにした間仕切パネルの上部カバーの取付構造を提供することを目的としている。
【０００６】
【課題を解決するための手段】
本発明によると、上記課題は、次のようにして解決される。
(１)  左右１対の支柱の上端部と下部とを上部横杆と下部横杆とで結合してフレームを形成し、かつ、前記フレームの前面または後面の少なくともいずれか一方に、パネルの内面の左右両側部を取り付けることにより構成される間仕切パネルの上面に、この上面を覆う上部カバーを取り付けるための取付構造であって、前記支柱の上端面を開口させ、支柱の側面上端部に係止孔を穿設し、上部カバーの左右の端面を開口させ、この開口に、間仕切パネルの上側端部上面を覆うためのエンドカバーに設けられた内向きの嵌合部を嵌合することにより、前記上部カバーの両端部にエンドカバーを連結し、かつ、前記エンドカバーの下面に下向きに突設された係合片を前記支柱の上端開口部に挿入するとともに、前記係合片に設けられた外向きの係合爪を、前記係止孔に係合させる。
【０００７】
(２)  上記(１)項において、エンドカバーの下面に前後２個の係合片を設けるとともに、支柱の前面と後面とに前記係止孔を穿設し、かつ、前記上部カバーの左右両端面の開口部の下縁部に、前記係合片が挿入する２個のスリットを設ける。
【０００８】
【発明の実施の形態】
以下、本発明の一実施形態について、添付図面を参照しながら説明する。
なお、以下の説明中においては、図１の紙面の手前側を「前方」、紙面の裏側を「後方」と定義する。
【０００９】
本実施形態の間仕切パネル(１)は、図１に示すように、方形枠状のフレーム(２)の前後に、このフレーム(２)とほぼ同寸のパネル(Ｐ)を取り付けて、フレーム(２)の上面と左右両側面を、それぞれ上部カバー(10)と側部カバー(８)で覆ったものである。
【００１０】
フレーム(２)は、左右１対の上面が開口する金属製の支柱(３)(３)の上端部と下部との対向面に、左右方向を向く金属製の上部横杆(４)と下部横杆(５)の左右両端部を、溶接により固着したものである。
【００１１】
図２に示すように、両支柱(３)(３)は中空の扁平角管状のものであり、その前後両面における上端部には、横長長方形をなす上部カバー(10)（後述）用の係止孔(3a)と、縦長長方形をなすパネル(Ｐ)（後述）用の係止孔(3b)とが、上下に並べて穿設されている。
また、図示は省略したが、両支柱(３)(３)の前後両面における下端部には、係止孔(3b)と同形状のパネル(Ｐ)用の係止孔(3b)が穿設されており、両支柱(３)の外側面の上下両端部には、側部カバー(８)（後述）用の係止孔(3c)（上端部のもののみ図示）が穿設されている。
【００１２】
フレーム(２)とほぼ同形同寸法のパネル(Ｐ)は、その裏面の左右両側部の上下両端部に設けられた係止具(６)（図２では上端部のもののみ図示）を、支柱(３)の係止孔(3b)に係合することにより、裏面が支柱(３)の前面及び後面に当接するようにして（図７、図８参照）フレーム(２)に固着される。
【００１３】
フレーム(２)の前後両面の下端部には、左右方向を向く幅木(７)が、図示を省略した固定手段により固着されている。
左右の支柱(３)の外側面には、その上下の係止孔(3c)に、上下方向を向く側部カバー(８)の上下の係合片（図示略）を係合することにより、側部カバー(８)が固定される。
【００１４】
図２及び図７に示すように、上部横杆(４)の前後方向の幅(Ｌ１)は支柱(３)の前後方向の幅(Ｌ２)より狭くなっており、上部横杆(４)の前後両面は支柱(３)の前後両面よりも内側に位置しており、支柱(３)にパネル(Ｐ)を取り付けると、パネル(Ｐ)の裏面と上部横杆(４)との間に隙間(９)が形成されるようになる。
【００１５】
図３に示した、左右方向を向く中空の上部カバー(10)は、合成樹脂材により成形されたものであり、その左右両端部は、自由状態において上方へ若干反り返っており、その底面の前後方向の中央部には、上部カバー(10)の内部に向かって窪む凹溝(11)が、上部カバー(10)の全長にわたって形成されている。
凹溝(11)の開口縁部における左右両側部を除く部分には、左右方向に長い下向きの突片(12)が突設されている。前後の突片(12)(12)は、両者が互いに近づく方向に若干弾性付勢されている。
上部カバー(10)の下面の左右両端部には、前後１対のスリット(13)(13)が設けられており、左右の端面は開口(14)している。
【００１６】
図５に示すエンドカバー(15)は、上部カバー(10)の断面形状とほぼ同形をなす端面板(16)と、その内面から上部カバー(10)の内部に向かって突出する前後１対の水平片(17)(17)と、前後の水平片(17)(17)の下面の外側から下向きに突設されたスペーサとしての垂下片(18)(18)と、水平片(17)(17)のほぼ中央部から下向きに突設された、垂下片(18)よりも脚の長い係合片(19)とからなるものである。
【００１７】
エンドカバー(15)は、その係合片(19)(19)をスリット(13)(13)に挿通しつつ、水平片(17)(17)と垂下片(18)(18)とを上部カバー(10)の開口(14)に嵌合することにより、上部カバー(10)と一体となる。
【００１８】
エンドカバー(15)と一体となった上部カバー(10)は、前後の突片(12)(12)を前後の隙間(９)(９)に嵌合して、突片(12)(12)により上部横杆(４)の前後両面を挾圧するとともに（図７参照）、左右両端部を若干下方に曲げつつ、エンドカバー(15)に設けられた係合片(19)(19)を支柱(３)の上端開口部に挿入し、係合片(19)に突設された外向きの係合爪(20)を支柱(３)の係止孔(3a)に係合する（図８参照）という、簡単な作業によりフレーム(２)の上面に固定される。
上部カバー(10)は、自由状態において、その両端部が上方に反り返っているので、上部カバー(10)をフレーム(２)の上面に固定した後は、その中央部分が上方に持ち上がることはなく、突片(12)(12)は上部横杆(４)を確実に挾圧するようになる。
【００１９】
【発明の効果】
本発明によれば、次のような効果を奏することができる。
(ａ)  請求項１記載の発明によれば、エンドカバーを利用して、上部カバーをフレームの支柱に固定することができるので、部品点数が増加することはなく、取り付け作業も極めて簡単である。
【００２０】
(ｂ)  請求項２記載の発明によれば、エンドカバーの係合片が上部カバーのスリットに差し込まれるので、エンドカバーが上部カバーから抜け出しにくくなる。
【図面の簡単な説明】
【図１】本発明の一実施形態を備える間仕切パネルの正面図である。
【図２】同じく間仕切パネルの要部の拡大分解斜視図である。
【図３】同じく上部カバーの一部を分解して示す拡大正面図である。
【図４】同じく上部カバーのカバー本体の拡大底面図である。
【図５】同じく上部カバーのエンドカバーの拡大底面図である。
【図６】同じく図３のVI-VI線に沿う拡大縦断側面図である。
【図７】同じく図１のVII-VII線に沿う拡大縦断側面図である。
【図８】同じく図１のVIII-VIII線に沿う拡大縦断側面図である。
【符号の説明】
(１)間仕切パネル
(２)フレーム
(３)支柱
(3a)(3b)(3c)係止孔
(４)上部横杆
(５)下部横杆
(６)係止具
(７)幅木
(８)側部カバー
(９)隙間
(10)上部カバー
(11)凹溝
(12)突片
(13)スリット
(14)開口
(15)エンドカバー
(16)端面板
(17)水平片（嵌合部）
(18)垂下片（嵌合部）
(19)係合片
(20)係合爪
(Ｌ１)上部横杆の前後方向の幅
(Ｌ２)支柱の前後方向の幅
(Ｐ)パネル
【図１】
0003954220.tif 000002
【図２】
0003954220.tif 000003
【図３】
0003954220.tif 000004
【図４】
0003954220.tif 000005
【図５】
0003954220.tif 000006
【図６】
0003954220.tif 000007
【図７】
0003954220.tif 000008
【図８】
0003954220.tif 000009